(57)【特許請求の範囲】
【請求項１】
第１の通話装置及び第２の通話装置を有する通信システムであって、
前記第１の通話装置は、
音声通信を確立するための通信確立信号を前記第２の通話装置に送信する通信確立信号送信部と、
情報の送信の要求を示す情報送信要求データを前記通信確立信号に付加する情報送信要求付加部と、
前記第２の通話装置から受信した配信情報を記憶する情報記憶部と
を備え、
前記第２の通話装置は、
予め前記配信情報を記憶している配信情報記憶部と、
前記第１の通話装置から受信した前記通信確立信号に前記情報送信要求データが付加されているか否かを判定する判定部と、
前記判定部により前記情報送信要求データが付加されていると判定された場合に、前記配信情報記憶部に記憶されている前記配信情報を含むメッセージを、前記音声通信の終了後に前記第１の通話装置に送信する配信情報送信部と
を備えることを特徴とする通信システム。
【請求項２】
前記第１の通話装置は、音声通信を確立するための信号として呼設定信号を用いることを特徴とする請求項１に記載の通信システム。
【請求項３】
前記メッセージは、前記配信情報とともに前記配信情報を前記情報記憶部に記憶させる信号を含むことを特徴とする請求項１又は請求項２に記載の通信システム。
【請求項４】
前記情報記憶部は、前記配信情報を電話帳に記憶することを特徴とする請求項１乃至請求項３のいずれか一つに記載の通信システム。
【請求項５】
第１の電話機及び第２の電話機を有する通信システムであって、
前記第１の電話機は、
呼設定信号であるＳＥＴＵＰ信号を前記第２の電話機に送信する通信確立信号送信部と、
情報の送信の要求を示す情報送信要求データを前記ＳＥＴＵＰ信号に付加する情報送信要求付加部と、
前記第２の電話機から受信した少なくとも前記第２の電話機の所有者の名前を含む配信情報を、前記第２の電話機の電話番号に対応付けて電話帳に記憶する情報記憶部と
を備え、
前記第２の電話機は、
予め前記配信情報を記憶している配信情報記憶部と、
前記第１の電話機から受信した前記ＳＥＴＵＰ信号に前記情報送信要求データが付加されているか否かを判定する判定部と、
前記判定部により前記情報送信要求データが付加されていると判定された場合に、前記配信情報記憶部に記憶されている前記配信情報を含むメッセージを、前記第１の電話機に対して通話後に送信する配信情報送信部と
を備えることを特徴とする通信システム。
【請求項６】
第１の通話装置において、情報の送信の要求を示す情報送信要求データを、音声通信を確立するための通信確立信号に付加する情報送信要求付加ステップと、
前記第１の通話装置において、前記通信確立信号を第２の通信装置に送信する通信確立信号送信ステップと、
前記第２の通話装置において、前記第１の通話装置から受信した前記通信確立信号に前記情報送信要求データが付加されているか否かを判定する判定ステップと、
前記第２の通話装置において、前記判定ステップにおいて前記情報送信要求データが付加されていると判定された場合に、予め記憶している配信情報を含むメッセージを前記音声通信の終了後に前記第１の通話装置に送信する配信情報送信ステップと
前記第１の通話装置において、前記第２の通話装置から受信した配信情報を記憶する配信情報記憶ステップと
を含んだことを特徴とする通信システム制御方法。
【発明の詳細な説明】
【技術分野】
【０００１】
本発明は、通信システム及び通信システム制御方法に関する。
【背景技術】
【０００２】
従来、携帯電話等の電話機には、通話先の電話機の電話番号等を電話帳として登録する電話帳機能が設けられている。このため、電話帳に登録済みの電話機に発信する場合には、電話帳を利用して簡易に発信することができる。
【０００３】
ところで、電話帳に未登録の電話機に発信する場合には、当然ながら相手先の電話番号を操作者が直接ダイヤル入力する必要がある。例えば、ガイドブックなどで検索した店舗の電話番号に発信する場合や、紙のメモに記された電話番号に発信する場合には、この電話番号を操作者が手操作でダイヤル入力することになる。
【０００４】
かかる手操作によるダイヤル入力を簡略化するために、電話機には、最近掛けた一定件数の電話番号を発信履歴として記憶する機能が設けられている。
【０００５】
ところが、この発信履歴には相手先の電話機の電話番号のみしか残らないため、後日利用者がその電話番号を見たとしても、どこに対してどのような用件で電話を掛けたのか分からないという事態が生ずる。
【０００６】
利用者が通話後にその電話番号を電話帳登録すればこのような事態を防ぐことはできるが、通話の都度そのような作業を行うことは煩わしいため現実的ではない。したがって、このような通話相手の電話番号の電話帳登録を自動化することが望まれる。
【０００７】
これに対し、着信応答前に発信元の電話機から送られてきた所有者の識別情報を発信元の電話番号に対応づけて着信側の電話機に登録する従来技術が知られている。
【０００８】
ここで、図１１を参照して、発信側の携帯電話の所有者の情報を着信側の携帯電話に登録する従来技術について説明する。図１１は、発信側の識別情報の登録に関する従来技術を説明するためのシーケンス図である。発信側の携帯電話９０２は、発信動作開始時に呼設定信号であるＳＥＴＵＰ信号に電話番号や氏名などを付加して着信側の携帯電話９０１に送信する（ステップＳ９０１）。携帯電話９０１は、ＳＥＴＵＰ信号に付加された電話番号や氏名を電話帳に登録する（ステップＳ９０２）。そして、携帯電話９０１は、ＳＥＴＵＰ信号に対する応答を返す（ステップＳ９０３）。そして、通信確立後、携帯電話９０１と携帯電話９０２と間で通話が行われる（ステップＳ９０４）。その後、携帯電話９０２から通話終了の信号が送られ（ステップＳ９０５）、それに対して携帯電話９０１から応答が送られることで（ステップＳ９０６）、通話が終了する。
【先行技術文献】
【特許文献】
【０００９】
【特許文献１】特開２００７−１９５０５２号公報
【発明の概要】
【発明が解決しようとする課題】
【００１０】
上記従来技術を用いた場合、発信側電話機の電話番号を着信側電話機の電話帳に登録できる。しかし、着信側電話機の情報を発信側電話機の電話帳に登録することはできなかった。
【００１１】
例えば、上記従来技術を用いると、発信側電話機からガイドブックなどで検索した店舗の電話機に発信した場合に、店舗の電話機に発信側電話機の情報が登録されるに止まる。
【００１２】
このため、発信側電話機の利用者が、再度店舗の電話機にリダイヤルしようとする場合に、もし発信履歴に電話番号が残っていたとしても、どの電話番号が店舗の電話番号であるかが分からないという状況が生ずる。
【００１３】
以上のことから、相手側電話機の電話番号を直接ダイヤル入力して通話接続する場合に、該相手先電話番号に係る情報をいかに効率良く電話帳登録するかが重要な課題となっている。
【課題を解決するための手段】
【００１４】
本願の開示する、通信システム及び通信システム制御方法は、一つの態様において、通信システムは、第１の通話装置及び第２の通話装置を有する。そして、第１の通話装置の通信確立信号送信部は、音声通信を確立するための通信確立信号を前記第２の通話装置に送信する。また、第１の通話装置の情報送信要求付加部は、情報の送信の要求を示す情報送信要求データを前記通信確立信号に付加する。また、第１の通話装置の配信情報記憶部は、前記第２の通話装置から受信した配信情報を記憶する。また、第２の通話装置の配信情報記憶部は、予め前記配信情報を記憶する。また、第２の通話装置の判定部は、前記第１の通話装置から受信した前記通信確立信号に前記情報送信要求データが付加されているか否かを判定する。また、第２の通話装置の配信情報送信部は、前記判定部により前記情報送信要求データが付加されていると判定された場合に、前記配信情報記憶部に記憶されている前記配信情報を含むメッセージを前記音声通信の終了後に前記第１の通話装置に送信する。
【発明の効果】
【００１５】
本願の開示する通信システム及び通信システム制御方法の一つの態様によれば、着信側の情報を発信側の携帯電話に自動的に記憶させることができる。これにより、発信側の電話機が着信側の電話機にリダイヤルする場合の操作性を向上することができるという効果を奏する。
【図面の簡単な説明】
【００１６】
【図１】図１は、実施例に係る通信システムのブロック図である。
【図２】図２は、配信情報とＳＭＳ番号との対応を示すテーブルの一例の図である。
【図３】図３は、配信情報が登録された電話帳画面の一例の図である。
【図４−１】図４−１は、実施例に係る発信側の携帯電話の電話番号入力画面の一例を表す図である。
【図４−２】図４−２は、実施例に係る発信側の携帯電話の情報送信要求の選択画面の一例を表す図である。
【図５】図５は、ＳＭＳフォーマットを説明するための図である。
【図６】図６は、携帯電話のハードウェア構成図である。
【図７】図７は、実施例に係る通信システムにおける処理の全体の流れを説明するための図である。
【図８】図８は、発信側の携帯電話の電話帳に対する配信情報の登録の処理を説明するためのシーケンス図である。
【図９】図９は、実施例に係る通信システムにおける発信から電話帳への配信情報の登録開始までの処理のフローチャートである。
【図１０】図１０は、実施例に係る通信システムにおける電話帳への配信情報の登録の処理のフローチャートである。
【図１１】図１１は、発信側の識別情報の登録の従来技術を説明するためのシーケンス図である。
【発明を実施するための形態】
【００１７】
以下に、本願の開示する通信システム及び通信システム制御方法の実施例を図面に基づいて詳細に説明する。なお、以下の実施例により本願の開示する通信システム及び通信システム制御方法が限定されるものではない。
【実施例】
【００１８】
図１は、実施例に係る通信システムのブロック図である。図１に示すように、本実施例に係る通信システムは携帯電話１及び携帯電話２という２つの携帯電話を有する。ここで、図１では説明を分かりやすくするため、それぞれの携帯電話の以下の説明で必要な部分のみを記載しているが、双方ともに他方が有する各部を備え、双方が同じ構成であってもよい。双方が同じ構成の場合、双方向に以下で説明する動作を行うことができる。
【００１９】
図１に示すように、携帯電話１は、無線制御部１１、ＳＭＳ(Short Message Service)制御部１２、電話帳記憶部１３、呼制御部１４、情報送信要求付加部１５、通話制御部１６、入力制御部１７、表示制御部１８及びユーザインタフェース１９を有している。携帯電話１が第１の通話装置の一例である。
【００２０】
無線制御部１１は、携帯電話２との無線による通話や通信において無線信号の送受信を制御する。ここで、実際には携帯電話２との通話及び通信は無線制御部１１を介して行っているが、以下では説明の都合上、携帯電話１の各部が携帯電話２の各部と直接通信を行っているように説明する場合がある。
【００２１】
呼制御部１４は、発呼及び着呼の制御を行う。具体的には、呼制御部１４は、入力制御部１７から発信の命令である発信依頼を受けて、ＳＥＴＵＰ信号を生成する。ここで、ＳＥＴＵＰ信号とは、通信を確立するための信号である。すなわち、携帯電話１が、ＳＥＴＵＰ信号を送信し、そのＳＥＴＵＰ信号に対する応答を携帯電話２から受けることにより、携帯電話１と携帯電話２との間の通信が確立することになる。このＳＥＴＵＰ信号が通信確立信号の一例である。そして、呼制御部１４は、ＳＥＴＵＰ信号を携帯電話２に送信する。ここで、呼制御部１４は、後述する情報送信要求付加部１５によってＳＥＴＵＰ信号に情報送信要求が付加されている場合には、ＳＥＴＵＰ信号とともに情報送信要求も携帯電話２に送信する。ここで、情報送信要求とは、通信相手に対して配信情報の送信を要求するための命令である。そして、情報送信要求は、実際にはデータであり、情報送信要求データの一例であるが、説明の都合上単に情報送信要求という。
【００２２】
呼制御部１４は、ＳＥＴＵＰ信号に対する応答信号を携帯電話２から受ける。そして、呼制御部１４は、応答信号を受けると通信が確立したと判定する。
【００２３】
また、呼制御部１４は、入力制御部１７から通話終了の命令の入力を受けると、携帯電話２に対して通話終了の信号を送信する。そして、呼制御部１４は、携帯電話２から通話終了応答を受信すると通話を終了する。また、呼制御部１４は、携帯電話２から通話終了の信号を受信した場合、通話終了応答を携帯電話２に対して送信し、その後通話を終了する。通話終了の信号及びそれに対する通話終了応答はＣＬＥＡＲ通知と呼ばれることがある。この呼制御部１４が通信確立信号送信部の一例である。
【００２４】
情報送信要求付加部１５は、通信相手である携帯電話２に対する配信情報の送信の要求命令である情報送信要求を付加する旨の通知を入力制御部１７から受ける。そして、情報送信要求付加部１５は、呼制御部１４が生成したＳＥＴＵＰ信号に情報送信要求を付加する。この情報送信要求には、配信情報の送信要求とともに携帯電話１の電話番号などが含まれている。
【００２５】
電話帳記憶部１３は、メモリやハードディスクなどの記憶装置である。そして、電話帳記憶部１３は、電話帳を記憶している。電話帳とは、電話番号に対応させて、名前などの識別情報や、メモなどの付随情報や、電話番号を分類するためのグループなどを登録することができるデータベースである。本実施例では、電話帳に登録できる項目として、名前（例えば、氏名や店舗名など）、メールアドレス、住所及びメモの各項目がある場合で説明する。電話帳記憶部１３が記憶している電話帳には、後述するように、携帯電話２から受信した配信情報がＳＭＳ制御部１２により登録される。この電話帳記憶部１３が配信情報記憶部の一例である。
【００２６】
ＳＭＳ制御部１２は、配信情報及び配信情報の電話帳への登録の制御命令を含むＳＭＳ制御メールを携帯電話２から受信する。ここで、配信情報とは、電話帳に登録可能な携帯電話２に関連した情報である。本実施例では配信情報として、名前、メールアドレス、住所、メモが含まれる場合で説明する。さらに、ＳＭＳ制御メールには、各配信情報に対応するＳＭＳ番号が含まれている。そして、ＳＭＳ制御部１２は、ＳＭＳ番号と電話帳の項目との対応を記憶している。図２は、配信情報とＳＭＳ番号との対応を示すテーブルの一例の図である。本実施例では、ＳＭＳ制御部１２は、図２に示すＳＭＳ番号と電話帳の項目内用との対応を記憶している。具体的には、氏名２０１には＃１、メールアドレス２０２には＃２、住所２０３には＃３、メモ２０４には＃４というＳＭＳ番号が対応している。さらに、ＳＭＳ番号＃０は終了通知２０５である。
【００２７】
そして、ＳＭＳ制御部１２は、受信した配信情報の内容を電話帳記憶部１３が記憶している電話帳に登録する。具体的には、まずＳＭＳ制御部１２は、ＳＭＳ制御メールに含まれる電話帳情報を登録する。そして、ＳＭＳ制御部１２は、ＳＭＳ制御メールに含まれる各配信情報に対応するＳＭＳ番号を参照し、ＳＭＳ番号に対応する電話帳の項目に受信した配信情報を登録する。このとき、ＳＭＳ制御部１２は、電話番号に対応付けて配信情報の登録を行う。
【００２８】
図３は、配信情報が登録された電話帳画面の一例の図である。例えば、ＳＭＳ制御メールにおいてある情報に＃１が対応付けられていた場合、ＳＭＳ制御部１２は、その情報を電話帳の名前の欄に登録する。すなわち、ＳＭＳ制御部１２は、受信した配信情報を図２における名前２０１と判断すると、その配信情報を図３で示される項目３０１の欄に登録する。同様に、ＳＭＳ制御部１２は、受信した配信情報をメールアドレス２０２と判断すると、その配信情報を項目３０２の欄に登録する。また、ＳＭＳ制御部１２は、受信した配信情報を住所２０３と判断すると、その配信情報を項目３０４の欄に登録する。また、ＳＭＳ制御部１２は、受信した配信情報をメモ２０４と判断すると、その配信情報を項目３０３の欄に登録する。このように、ＳＭＳ制御部１２によって携帯電話２の配信情報が電話帳に登録されると、操作者が携帯電話２の電話帳を閲覧した場合、図３で示される画面が表示部１９２に表示される。
【００２９】
さらに、図２に示すように、本実施例ではＳＭＳ番号が０に対応する情報は終了通知である。そこで、ＳＭＳ制御部１２は、ＳＭＳ番号が０の終了通知を含むＳＭＳ制御メッセージを受信すると、電話帳への登録を終了する。
【００３０】
ここで、本実施形態では電話帳に配信情報を登録する場合で説明したが、配信情報を記憶する場所は特に制限は無く、他のデータベースなどに記憶させても良い。
【００３１】
通話制御部１６は、呼制御部１４により通信が確立された後に、呼制御部１４が確立した通信上での通話の制御を行う。具体的には、通話制御部１６は、音声入出力部１９３から入力された音声を携帯電話２に送信する。また、通話制御部１６は、携帯電話２から入力された音声を音声入出力部１９３に出力させる。
【００３２】
表示制御部１８は、入力制御部１７から入力された電話番号などを表示部１９２に表示させる。また、表示制御部１８は、入力制御部１７から所定の画面の表示要求を受けると、所定の画面を表示部１９２に表示させる。例えば、電話帳画面の表示要求を受けた場合、表示制御部１８は、図３に示す電話帳画面３００を表示させる。
【００３３】
入力制御部１７は、操作者により入力部１９１を用いて入力された情報を所定の各部に送信する。具体的には、入力制御部１７は、発信依頼が入力部１９１から入力された場合、発信依頼を呼制御部１４へ出力する。また、入力制御部１７は、所定の画面の表示要求が入力部１９１から入力された場合、所定の画面の表示要求を表示制御部１８へ出力する。
【００３４】
ユーザインタフェース１９は、入力部１９１、表示部１９２、音声入出力部１９３を有している。操作者はユーザインタフェース１９を用いて通話や通信を行う。
【００３５】
表示部１９２は、携帯電話の表示画面などである。そして、表示部１９２は、表示制御部１８により指定された画面を表示する。
【００３６】
入力部１９１は、プッシュボタンなどである。操作者により入力部１９１を用いて入力された電話番号及び発信依頼は入力制御部１７へ出力される。操作者は、表示部１９２を参照しながら、入力部１９１を操作して入力を行う。
【００３７】
音声入出力部１９３は、スピーカやマイクを含む。そして、音声入出力部１９３は、マイクから入力された音声を通話制御部１６へ出力する。また、通話制御部１６から入力された音声をスピーカから出力する。
【００３８】
ここで、配信情報の送信の要求を入力するための操作画面及び操作方法の一例について説明する。図４−１は実施例に係る発信側の携帯電話の電話番号入力画面の一例を表す図である。また、図４−２は実施例に係る発信側の携帯電話の情報送信要求の選択画面の一例を表す図である。操作者は、表示部１９２に表示された図４−１に示すような画面を参照し、入力部１９１を用いて電話を掛ける相手の電話番号の入力を行う。この時、配信情報の送信を要求する場合には、操作者はメニューボタン４００を選択する。メニューボタン４００を選択すると、図４−２に示すメニューリスト４０１が表示部１９２に表示される。そして、操作者は、メニューリスト４０１の中の電話帳登録発信という項目４０２を選択することで、配信情報の送信の要求を入力することができる。
【００３９】
図１に示すように、携帯電話２は、無線制御部２１、ＳＭＳ制御部２２、配信情報記憶部２３、呼制御部２４、通話制御部２５、判定部２６、入力制御部２７、表示制御部２８及びユーザインタフェース２９を備えている。携帯電話２が第２の通話装置の一例である。
【００４０】
無線制御部２１は、携帯電話１との無線による通話や通信において無線信号の送受信を制御する。ここで、実際には携帯電話１との通話及び通信は無線制御部２１を介して行っているが、以下では説明の都合上、携帯電話２の各部が携帯電話１の各部と直接通信を行っているように説明する場合がある。
【００４１】
呼制御部２４は、発呼及び着呼の制御を行う。具体的には、携帯電話１から送られてきたＳＥＴＵＰ信号を受信すると、呼受付通知を携帯電話１に返す。ここで、呼受付通知とは、呼設定通知を受け付けた旨を通知する信号であり、ＣＡＬＬＰＲＯＣ通知と呼ばれることがある。そして、呼制御部２４は、発信元の電話番号である携帯電話１の電話番号を表示制御部２８に出力する。
【００４２】
そして、操作者が入力部２９１を用いて携帯電話１からの呼び出しに応答するための操作を行った場合、呼制御部２４は、入力制御部２７から応答依頼を受け付ける。そして、呼制御部２４は、携帯電話１に対して呼応答通知を送信する。ここで、呼応答通知とは呼び出しに対して応答する旨を通知する信号であり、ＣＡＬＬ−ＣＯＮＮ通知と呼ばれることがある。
【００４３】
また、呼制御部２４は、入力制御部２７から通話終了の命令の入力を受けると、携帯電話１に対して通話終了の信号を送信する。そして、呼制御部２４は、携帯電話１から通話終了応答を受信すると通話を終了する。また、呼制御部２４は、携帯電話１から通話終了の信号を受信した場合、通話終了応答を携帯電話１に対して送信し、その後通話を終了する。
【００４４】
通話制御部２５は、呼制御部２４によって確立された通信上での通話の制御を行う。具体的には、携帯電話１から入力された音声データを音声入出力部２９３に音声として出力させ、また、音声入出力部２９３から入力された音声を音声データとして携帯電話１に送信する。
【００４５】
判定部２６は、ＳＥＴＵＰ信号に情報送信要求が付加されているか否かを判定する。情報送信要求が付加されている場合には、判定部２６は、配信情報の携帯電話１への送信をＳＭＳ制御部２２に指示する。本実施例では、判定部２６は、ＳＥＴＵＰ信号の付加情報を記憶し、通話終了後に、記憶している付加情報を読み出して、読み出した付加情報に情報送信要求が含まれているか否かを判定する。
【００４６】
配信情報記憶部２３は、メモリやハードディスクなどの記憶装置である。配信情報記憶部２３は、名前や住所といった配信情報を図２に示すようにＳＭＳ番号と対応付けて予め記憶している。
【００４７】
ＳＭＳ制御部２２は、配信情報の携帯電話１への送信の指示を判定部２６から受けると、配信情報及び各配信情報に対応するＳＭＳ番号を配信情報記憶部２３から取得する。そして、ＳＭＳ制御部２２は、携帯電話１の電話帳に配信情報を登録させるＳＭＳ制御メッセージを作成する。そして、ＳＭＳ制御部２２は、作成したＳＭＳ制御メッセージを携帯電話１に送信する。図２に示すように、本実施例ではＳＭＳ番号が０に対応する情報は終了通知である。そこで、ＳＭＳ制御部２２は、ＳＭＳ番号が０の終了通知を含むＳＭＳ制御メッセージを送信した後、ＳＭＳの通信を終了する。
【００４８】
ここで、ＳＭＳ制御部２２が作成するＳＭＳ制御メッセージのフォーマットの一例について説明する。図５は、ＳＭＳフォーマットを説明するための図である。ＳＭＳのフォーマットは、表５０１で示すようにＩＤ、アドレス及びメッセージの組み合わせで構成されている。そして、ＳＭＳでは、データ種類に対してＩＤが予め割り振られている。例えば、本実施例では、図５に示すように、通常メッセージのＩＤは０ｘ００であり、不在着信通知のＩＤは０ｘ０１であり、電話帳登録発信のＩＤは０ｘ０２である。ここで、電話帳登録発信とは、電話帳への登録を実行させる命令である。また、アドレス領域に記載される内容の属性の番号が予め決められている。本実施例では、電話番号という属性を表す番号は０ｘ００であり、英数字という属性を表す番号は０ｘ０１である。そして、これらの決まりに基づいて作成される実際のデータは表５０２のようになる。Byte位置０はＩＤを表し、Byte位置１はアドレスの内容の属性を表し、その後のbyte位置にアドレスのデータ及びメッセージのデータが記載される。例えば、ＳＭＳ制御部２２は電話帳登録発信のＳＭＳ信号としてデータ５２１のようなデータを作成する。データ５２１は、Byte位置０が０ｘ０２であるので、電話帳登録発信である。そして、Byte位置１が０ｘ００であるので、電話番号の情報を送信することになる。そして、その後のデータで電話番号の内容が記載される。例えば、携帯電話１のＳＭＳ制御部２２は、データ５２１を受け取ることにより、電話帳への電話番号の登録の指示が与えられ、データ５２１に記載されている内容の自己の電話帳の電話番号の項目への登録を実行する。
【００４９】
また、ＳＭＳ制御部２２は、１つのＳＭＳ制御メッセージの中に複数の配信情報を含ませることもできるし、配信情報を送信するのに複数のＳＭＳ制御メッセージを用いてもよい。ここで、ＳＭＳ制御メッセージは文字数の制限があるため、一つのＳＭＳ制御メッセージで送ることができる情報量に限度がある。そのため、住所やメモなどの情報量が多い情報が配信情報に含まれる場合には、配信情報を分割して複数のＳＭＳ制御メッセージを送信することで、ＳＭＳ制御部２２は全ての配信情報を送ることができる。このＳＭＳ制御部２２は配信情報送信部の一例である。
【００５０】
また、本実施例では、配信情報として名前、メールアドレス、住所及びメモを用いた場合で説明したが、配信情報として用いる情報はＳＭＳで送ることができる情報であれば特に制限は無い。そして、操作者は操作者が配信したいと考える情報のみを配信情報とすることができる。例えば、住所を相手に伝えたくない場合には、配信情報記憶部２３が記憶する配信情報に住所を含ませなければよい。
【００５１】
表示制御部２８は、呼制御部２４から入力された発信元の電話番号を、表示部２９２に表示させる。
【００５２】
入力制御部２７は、操作者により入力部２９１を用いて入力された情報を所定の各部に送信する。具体的には、入力制御部２７は、応答依頼が入力部２９１から入力された場合、応答依頼を呼制御部２４へ出力する。
【００５３】
ユーザインタフェース２９は、入力部２９１、表示部２９２、音声入出力部２９３を有している。操作者はユーザインタフェース２９を用いて通話や通信を行う。
【００５４】
表示部２９２は、携帯電話の表示画面などである。そして、表示部２９２は、表示制御部２８により指定された画面を表示する。
【００５５】
入力部２９１は、プッシュボタンなどである。操作者により入力部２９１を用いて入力された応答依頼は入力制御部２７へ出力される。操作者は、表示部２９２を参照しながら、入力部２９１を操作して入力を行う。
【００５６】
音声入出力部２９３は、スピーカやマイクを含む。そして、音声入出力部２９３は、マイクから入力された音声を通話制御部２５へ出力する。また、通話制御部２５から入力された音声をスピーカから出力する。
【００５７】
図６は、携帯電話のハードウェア構成図である。携帯電話１及び携帯電話２ともに、ハードウェア構成は図６で表される。携帯電話１及び携帯電話２は、図６に示すように、プロセッサ３１、記憶部３２、無線通信部３３、表示部３４、音声入出力部３５、入力部３６及びアンテナ３７を備える。
【００５８】
記憶部３２は、プログラム記憶部３２１、データ記憶部３２２、ＲＡＭ３２３を有する。プログラム記憶部３２１には、上述した各種の処理を実施する機能を発揮する携帯電話制御プログラムが記憶されている。ＲＡＭ３２３及びデータ記憶部３２２は、上述した各種の処理において読み書きが行われるデータを記憶する。また、データ記憶部３２２は、図１の電話帳記憶部１３や配信情報記憶部２３の機能を有する。
【００５９】
プロセッサ３１及び記憶部３２は、ＳＭＳ制御部１２、２２、呼制御部１４、２４、情報送信要求付加部１５、２５、通話制御部１６、入力制御部１７、２７、表示制御部１８、２８、通話制御部２５及び判定部２６の機能を有する。具体的には、プロセッサ３１は、プログラム記憶部３２１から携帯電話制御プログラムを読み出して実行する。これにより、携帯端末制御プログラムは、上述した各種処理を実行していく携帯端末制御プロセスとなる。
【００６０】
無線通信部３３は、図１の無線制御部１１、２１の機能を有する。表示部３４は、携帯電話の表示画面であり、図１の表示部１９２、２９２の機能を有する。音声入出力部３５は、マイクやスピーカを含み、図１の音声入出力部１９３、２９３の機能を有する。入力部３６は、プッシュボタンなどであり、図１の入力部１９１、２９１の機能を有する。アンテナ３７は、携帯電話間での無線電波の送受信を行う。
【００６１】
図７は、実施例に係る通信システムにおける処理の全体の流れを説明するための図である。ここで、図７を参照して、実施例に係る通信システムにおける着信側の配信情報を発信側の電話帳に登録する処理の全体の流れを説明する。図７に示すように本実施例に係る通信システムでは、実際には携帯電話１と携帯電話２との間に通信を中継するための交換機３が設けられている。
【００６２】
まず、携帯電話１は、情報送信要求をＳＥＴＵＰ信号に付加させて交換機３へ送信する（ステップＳ１０１）。そして、交換機３は、携帯電話１から送られてきた情報送信要求が付加されたＳＥＴＵＰ信号を携帯電話２に送信する（ステップＳ１０２）。
【００６３】
携帯電話２がＳＥＴＵＰ信号に応答を返すことで、携帯電話１と携帯電話２との間で通信が確立し、確立された通信上で通話が行われる（ステップＳ１０３）。
【００６４】
そして、通話終了後、携帯電話２は、情報送信要求に対する応答として、配信情報を含むＳＭＳ制御メッセージを交換機３へ送信する（ステップＳ１０４）。そして、交換機３は、携帯電話２から送られてきた配信情報を含むＳＭＳ制御メッセージを携帯電話１へ送信する（ステップＳ１０５）。
【００６５】
携帯電話１は、ＳＭＳ制御メッセージを受けて、携帯電話２から送られてきた配信情報を電話帳に登録する（ステップＳ１０６）。
【００６６】
次に、図８を参照して、発信側の携帯電話の電話帳に対する発信情報の登録処理における信号及びデータの流れを説明する。図８は、発信側の携帯電話の電話帳に対する配信情報の登録の処理を説明するためのシーケンス図である。ここでは、配信情報として、店舗名、メールアドレス及びクーポン情報が送信される場合で説明する。また、ここでは、複数のＳＭＳ制御メッセージを用いて各配信情報を送信する場合で説明する。
【００６７】
携帯電話１は、情報送信要求を付加して自己の電話番号を含むＳＥＴＵＰ信号を携帯電話２に送信する（ステップＳ２０１）。携帯電話２は、ＳＥＴＵＰ信号に対して呼受付通知や呼応答通知などの着信応答を携帯電話１に送信する（ステップＳ２０２）。携帯電話１と携帯電話２との間で通話が行われる（ステップＳ２０３）。携帯電話１から通話終了通知が送信された（ステップＳ２０４）後、携帯電話２から通話終了応答通知が返信され（ステップＳ２０５）、通話が終了する。
【００６８】
携帯電話２は、自己の電話番号ともにＳＭＳ番号が＃１である店舗名を送信する（ステップＳ２０６）。また、携帯電話２は、自己の電話番号ともにＳＭＳ番号が＃３であるメールアドレスを送信する（ステップＳ２０７）。さらに、携帯電話２は、自己の電話番号とともにＳＭＳ番号が＃４であるクーポン情報を送信する（ステップＳ２０８）。最後に、携帯電話２は、ＳＭＳ番号が＃０である終了通知を送信する（ステップＳ２０９）。
【００６９】
携帯電話１は、ステップＳ２０６、ステップＳ２０７及びステップＳ２０８で受信した店舗名、メールアドレス及びクーポン情報をそれぞれ電話帳記憶部１３の電話帳に携帯電話２の電話番号と対応付けて記憶させる（ステップＳ２１０）。そして、携帯電話１は、終了通知を受信して電話帳への登録を終了するとともにＳＭＳ通信を終了する。
【００７０】
次に、図９を参照して、本実施例に係る通信システムにおける発信から電話帳への配信情報の登録開始までの処理の詳細な流れについて説明する。図９は、実施例に係る通信システムにおける発信から電話帳への配信情報の登録開始までの処理のフローチャートである。
【００７１】
携帯電話１の入力制御部１７は、情報送信要求を行う指示が入力部１９１から入力されたか否かを判定する（ステップＳ３０１）。情報送信要求を行う指示が入力された場合（ステップＳ３０１肯定）、情報送信要求付加部１５は、ＳＥＴＵＰ信号に情報送信要求を付加する（ステップＳ３０２）。これに対して、情報送信要求を行う指示が無い場合（ステップＳ３０１否定）、ステップＳ３０３へ進む。入力制御部１７は、呼制御部１４に発信依頼を送信する。
【００７２】
呼制御部１４は、入力制御部１７からの発信依頼を受けて、携帯電話２にＳＥＴＵＰ信号を送信する（ステップＳ３０４）。
【００７３】
携帯電話２の判定部２６は、ＳＥＴＵＰ付加データを記録する（ステップＳ３０５）。そして、呼制御部２４は、呼受付通知（ＣＡＬＬＰＲＯＣ通知）を携帯電話１に送信する（ステップＳ３０６）。そして、呼制御部２４は、操作者から携帯電話１からの着信に応答する旨の入力が行われたか否かを判定する（ステップＳ３０７）。応答する旨の入力がない場合（ステップＳ３０７否定）、呼制御部２４は、応答する旨の入力が行われるまで待機する。応答する旨の入力が行われた場合（ステップＳ３０７肯定）、呼制御部２４は、呼応答通知（ＣＡＬＬ−ＣＯＮＮ通知）を携帯電話１に送信する（ステップＳ３０８）。
【００７４】
その後、携帯電話１と携帯電話２との間で通話が行われる（ステップＳ３０９）。
【００７５】
そして、携帯電話２の呼制御部２４は、通話終了通知（ＣＬＥＡＲ通知）を携帯電話１に送信する（ステップＳ３１０）。
【００７６】
そして、携帯電話１の呼制御部１４は、通話終了通知を携帯電話２から受けて、通話終了応答通知（ＣＬＥＡＲ通知）を携帯電話２に送信する（ステップＳ３１１）。これにより通話が終了し、携帯電話１の発信処理及び呼制御処理は終了する。
【００７７】
次に、携帯電話２の判定部２６は、記録したＳＥＴＵＰ付加データを読み出す（ステップＳ３１２）。そして、判定部２６は、ＳＥＴＵＰ付加データに情報送信要求があるか否かを判定する（ステップＳ３１３）。情報送信要求が有る場合（ステップＳ３１３肯定）、次で説明する配信情報の登録のフローへ進む。そして、情報送信要求が無い場合（ステップＳ３１３否定）、携帯電話２の通信処理は終了する。
【００７８】
次に、図１０を参照して、実施例に係る通信システムにおける電話帳への配信情報の登録の処理の詳細な流れについて説明する。図１０は、実施例に係る通信システムにおける電話帳への配信情報の登録の処理のフローチャートである。
【００７９】
携帯電話２のＳＭＳ制御部２２は、判定部２６によりＳＥＴＵＰ付加データに情報送信要求があると判定されると、配信情報記憶部２３から配信情報及びＳＭＳ番号を取得し、配信情報及び電話帳への配信情報の登録命令を含むＳＭＳデータを送信する（ステップＳ４０１）。そして、ＳＭＳ制御部２２は、ＳＭＳ番号が＃０のデータを送信したか否かを判定する（ステップＳ４０２）。ＳＭＳ番号が＃０のデータを送信していない場合（ステップＳ４０２否定）、ステップＳ４０１に戻る。これに対して、ＳＭＳ番号が＃０のデータを送信した場合（ステップＳ４０２肯定）、携帯電話２はＳＭＳの処理を終了する。
【００８０】
携帯電話１のＳＭＳ制御部１２は、携帯電話２からＳＭＳデータを受信したか否かを判定する（ステップＳ４０３）。ＳＭＳデータを受信していない場合（ステップＳ４０３否定）、ＳＭＳ制御部１２はＳＭＳデータを受信するまで待機する。これに対して、ＳＭＳデータを受信した場合（ステップＳ４０３肯定）、ＳＭＳ制御部１２は、ＳＭＳデータの中に電話帳登録のＳＭＳ制御メールがあるか否かを判定する（ステップＳ４０４）。電話帳登録のＳＭＳ制御メールがある場合（ステップＳ４０４肯定）、配信情報の電話帳への登録を行う（ステップＳ４０５）。そして、電話帳記憶部１３が記憶している電話帳への配信情報の登録が完了すると（ステップＳ４０６）、ＳＭＳ制御部１２は、ＳＭＳ番号が＃０であるデータを受信したか否かを判定する（ステップＳ４０７）。ＳＭＳ番号が＃０であるデータを受信していない場合（ステップＳ４０７否定）、ステップＳ４０３へ戻る。これに対して、ＳＭＳ番号が＃０であるデータを受信した場合（ステップＳ４０７肯定）、携帯電話１は、ＳＭＳの処理及び電話帳への登録の処理を終了する。
【００８１】
ここで、前述した携帯電話制御プログラムによる携帯端末制御プロセスは、具体的には図９及び図１０を用いて説明したような処理の流れを実行していくプロセスとなる。
【００８２】
以上に説明したように、本実施例に係る通信システムでは、発信側の携帯電話の電話帳に受信側の携帯電話の所有者の識別情報などを自動的に記憶させることができる。これにより、一度電話を掛けた相手の情報が自動的に記録され、後にその相手の情報を容易に取得することができる。したがって、一度電話を掛けた相手に再度電話を掛ける場合などに、その相手の電話番号などを検索しなおす手間を省くことができる。
【００８３】
また、配信情報の中に、着信側の携帯電話の操作者が配信したい情報を含ませることができる。したがって、例えば着信側の携帯電話の操作者が商業施設に関連する者の場合には、イベント情報やクーポンなどを配信情報に含ませることで、商業施設のプロモーション活動などに寄与することも可能となる。
【００８４】
また、本実施例では、２台の携帯電話を有する通信システムについて説明したが、携帯電話と固定電話又は２台の固定電話を有する通信システムであっても、同様の機能を有し、同様の効果を有する。
【符号の説明】
【００８５】
１  携帯電話
２  携帯電話
３  交換機
１１  無線制御部
１２  ＳＭＳ制御部
１３  電話帳記憶部
１４  呼制御部
１５  情報送信要求付加部
１６  通話制御部
１７  入力制御部
１８  表示制御部
１９  ユーザインタフェース
２１  無線制御部
２２  ＳＭＳ制御部
２３  配信情報記憶部
２４  呼制御部
２５  通話制御部
２６  判定部
２７  入力制御部
２８  表示制御部
２９  ユーザインタフェース
１９１  入力部
１９２  表示部
１９３  音声入出力部
２９１  入力部
２９２  表示部
２９３  音声入出力部
【図１】
0005795703.tif 000002
【図２】
0005795703.tif 000003
【図３】
0005795703.tif 000004
【図４−１】
0005795703.tif 000005
【図４−２】
0005795703.tif 000006
【図５】
0005795703.tif 000007
【図６】
0005795703.tif 000008
【図７】
0005795703.tif 000009
【図８】
0005795703.tif 000010
【図９】
0005795703.tif 000011
【図１０】
0005795703.tif 000012
【図１１】
0005795703.tif 000013